(57)【特許請求の範囲】
【請求項１】
インナ軸部材とアウタ筒部材がゴム弾性体で連結されていると共に、非圧縮性流体が封入された第一及び第二の流体室が設けられて、該第一の流体室と該第二の流体室がオリフィス通路で連通された流体封入式筒形防振装置において、
前記インナ軸部材と前記アウタ筒部材とを長さ方向両側でそれぞれ弾性的に連結する第一の端部ゴム壁および第二の端部ゴム壁と、該長さ方向の中間部分で弾性的に連結する中間ゴム壁とを含んで前記ゴム弾性体が構成されており、該中間ゴム壁の該長さ方向一方の側に前記第一の流体室が設けられていると共に該長さ方向他方の側に前記第二の流体室が設けられている一方、
該インナ軸部材と該アウタ筒部材との間を周方向に延びるオリフィス部材が設けられており、該オリフィス部材によって前記オリフィス通路が形成されていると共に、
該オリフィス部材がオリフィス部材本体の前記長さ方向両端面にそれぞれ蓋部材を重ね合わせた構造を有しており、該オリフィス部材本体を前記長さ方向に貫通する複数の貫通孔が形成されていると共に、該複数の貫通孔の端部開口が該蓋部材で覆われてそれら貫通孔が相互に直列的に連通されており、相互に連通されたそれら複数の貫通孔によって該インナ軸部材または該アウタ筒部材の該長さ方向で往復して周方向に蛇行状態で延びる前記オリフィス通路が形成されていることを特徴とする流体封入式筒形防振装置。
【請求項２】
前記オリフィス通路の断面積が少なくとも前記長さ方向に延びる部分で略一定とされている請求項１に記載の流体封入式筒形防振装置。
【請求項３】
前記オリフィス通路において前記長さ方向で折り返す部分の通路における外周側内面が、円弧状の湾曲面とされている請求項１又は２に記載の流体封入式筒形防振装置。
【請求項４】
前記複数の貫通孔が前記インナ軸部材または前記アウタ筒部材の中心軸と平行に延びている請求項１〜３の何れか１項に記載の流体封入式筒形防振装置。
【請求項５】
前記オリフィス部材が前記インナ軸部材の外周面に配されている請求項１〜４の何れか１項に記載の流体封入式筒形防振装置。
【請求項６】
前記インナ軸部材の外周面と前記アウタ筒部材の内周面の何れかに配されたオリフィス部材によって前記オリフィス通路が形成されていると共に、該オリフィス通路の形成された該オリフィス部材が前記中間ゴム壁から前記第一の流体室と前記第二の流体室の少なくとも一方の内部に延び出しており、延び出した前記長さ方向端部が前記第一の端部ゴム壁と前記第二の端部ゴム壁の少なくとも一方にまで達している請求項１〜５の何れか１項に記載の流体封入式筒形防振装置。
【請求項７】
前記オリフィス通路の少なくとも一方の端部が前記長さ方向に向けて開口している請求項１〜６の何れか１項に記載の流体封入式筒形防振装置。
【発明の詳細な説明】
【技術分野】
【０００１】
本発明は、内部に封入された非圧縮性流体の流動作用による防振効果が発揮される流体封入式の防振装置に係り、例えば車両のボデーマウントやデフマウント、エンジンマウント、サブフレームマウント、キャブマウント、サスペンションブッシュなどに用いることのできる流体封入式筒形防振装置に関するものである。
【背景技術】
【０００２】
従来から、振動伝達系を構成する部材間に介装される防振連結体や防振支持体の一種として、インナ軸部材の外周側にアウタ筒部材を離隔配置せしめて本体ゴム弾性体で連結した筒形防振装置が知られている。また、より高度な防振性能を実現するために、例えば特開平６−３０７４９３号公報（特許文献１）や特許第５４６２０４０号公報（特許文献２）に開示されているように、非圧縮性流体が封入された複数の流体室を設けてそれらの流体室をオリフィス通路で連通せしめた流体封入式筒形防振装置が提案されている。このような流体封入式筒型防振装置では、オリフィス通路の長さの確保やオリフィス通路の形成し易さなどから、周方向に延びるオリフィス通路が好適に採用されている。
【０００３】
ところで、軸直角方向の振動入力が想定された流体封入式筒形防振装置では、特許文献１のように、複数の流体室が周方向に離れて配置されていることから、それら複数の流体室を連通するように周方向に延びるオリフィス通路の長さを長く設定することが比較的容易であった。
【０００４】
ところが、特許文献２のような軸方向の振動入力が想定された流体封入式筒形防振装置において、周方向に延びるオリフィス通路を採用すると、優れた防振性能を得ることが難しいなどの問題があった。
【０００５】
すなわち、軸直角方向の振動入力が想定された特許文献１の流体封入式筒形防振装置は、オリフィス通路で連通された複数の流体室が隔壁を挟んで周方向に配置されており、軸方向では１つの流体室だけが配されているが、軸方向の振動入力が想定された特許文献２の流体封入式筒形防振装置では、２つの流体室が隔壁を挟んで軸方向に配置されている。それ故、オリフィス通路が形成されたオリフィス部材の軸方向寸法が小さくなり易く、周方向に一周を超える長さをもったオリフィス通路を形成しようとすると、オリフィス通路の断面積が小さくなって、流体マスによる防振効果が効率的に発揮されなくなるおそれがある。一方で、オリフィス部材において軸方向に複数段とならないようにオリフィス通路の長さを限定すると、オリフィス通路のチューニングの自由度が制限されてしまう。
【先行技術文献】
【特許文献】
【０００６】
【特許文献１】特開平６−３０７４９３号公報
【特許文献２】特許第５４６２０４０号公報
【発明の概要】
【発明が解決しようとする課題】
【０００７】
本発明は上述の如き事情を背景として為されたものであって、その解決課題とするところは、例えば小径の筒形防振装置などでもオリフィス通路による防振特性のチューニング自由度が確保され易い、新規な構造の流体封入式筒形防振装置を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００９】
本発明の第一の態様は、インナ軸部材とアウタ筒部材がゴム弾性体で連結されていると共に、非圧縮性流体が封入された第一及び第二の流体室が設けられて、該第一の流体室と該第二の流体室がオリフィス通路で連通された流体封入式筒形防振装置において、前記インナ軸部材と前記アウタ筒部材とを長さ方向両側でそれぞれ弾性的に連結する第一の端部ゴム壁および第二の端部ゴム壁と、該長さ方向の中間部分で弾性的に連結する中間ゴム壁とを含んで前記ゴム弾性体が構成されており、該中間ゴム壁の該長さ方向一方の側に前記第一の流体室が設けられていると共に該長さ方向他方の側に前記第二の流体室が設けられている一方、該インナ軸部材と該アウタ筒部材との間を周方向に延びるオリフィス部材が設けられており、該オリフィス部材によって前記オリフィス通路が形成されていると共に、該オリフィス部材がオリフィス部材本体の前記長さ方向両端面にそれぞれ蓋部材を重ね合わせた構造を有しており、該オリフィス部材本体を前記長さ方向に貫通する複数の貫通孔が形成されていると共に、該複数の貫通孔の端部開口が該蓋部材で覆われてそれら貫通孔が相互に直列的に連通されており、相互に連通されたそれら複数の貫通孔によって該インナ軸部材または該アウタ筒部材の該長さ方向で往復して周方向に蛇行状態で延びる前記オリフィス通路が形成されていることを特徴とする。
【００１０】
本態様の流体封入式筒形防振装置では、第一の流体室と第二の流体室を連通するオリフィス通路がインナ軸部材またはアウタ筒部材の長さ方向で往復して周方向に蛇行状態で延びるように設けられていることから、例えばオリフィス通路の形成部位が小径で周長を十分に確保し難いような場合でも、オリフィス通路の長さをインナ軸部材またはアウタ筒部材の長さ方向で確保することが可能になり、オリフィス通路による防振特性のチューニング自由度の向上が図られ得る。
【００１１】
また、本態様では、オリフィス通路のインナ軸部材またはアウタ筒部材の長さ方向に延びる端部を第一の流体室や第二の流体室に開口させて連通させることができ、それによって、流体室とオリフィス通路との流出入部分における流体流動方向を略直線状に設定することが可能になる。その結果、流体室とオリフィス通路との流出入部分における損失が抑えられると共に、流動抵抗に起因するキャビテーション等の不具合の軽減も図られ得ることとなる。
【００１２】
また、本態様の流体封入式筒形防振装置では、第一の流体室と第二の流体室が中間ゴム壁を長さ方向で挟んだ両側に配されていることから、長さ方向の振動入力に対して、第一の流体室と第二の流体室の相対的な圧力差が有効に惹起されて、オリフィス通路を流動する流体の流動作用に基づいた防振効果が発揮される。さらに、例えば第一の端部ゴム壁と第二の端部ゴム壁とにおいてインナ軸部材またはアウタ筒部材の長さ方向の傾斜角度や拡張ばねを相互に異ならせることで、インナ軸部材とアウタ筒部材との間でのこれらの何れかの長さ方向の振動入力時に第一の流体室と第二の流体室の圧力差を積極的に生ぜしめてオリフィス通路を通じての流体流動量を効率的に確保することにより、インナ軸部材またはアウタ筒部材の長さ方向における振動に対する流体流動作用に基づく防振効果を一層効率的に得ることが可能になる。更にまた、本態様の流体封入式筒形防振装置では、オリフィス通路を形成するスペースをオリフィス部材によって一層容易に且つ効率的に確保することが可能になり、オリフィス通路のチューニング自由度の更なる向上も図られ得る。なお、本態様において、オリフィス通路は、「オリフィス部材」の内部にオリフィス通路が形成されている他、オリフィス部材とインナ軸部材やアウタ筒部材との重ね合わせ面間にオリフィス通路が形成されることも可能である。加えて、本態様の流体封入式筒形防振装置によれば、長さ方向で往復して周方向に蛇行状態で延びるオリフィス通路をオリフィス部材に対して容易に形成することができる。しかも、長さ方向の振動入力時に封入流体が振動入力方向に延びる貫通孔内を移動せしめられることから、流体マスが振動入力方向で入力振動に対して位相差をもって移動することなどによって流体マスの移動に伴う振動エネルギーの低減作用などが発揮されて、防振性能の向上や有効な防振効果が発揮され得る周波数域の拡張なども図られ得る。
【００１３】
本発明の第二の態様は、前記第一の態様に従う構造とされた流体封入式筒形防振装置において、前記オリフィス通路の断面積が少なくとも前記長さ方向に延びる部分で略一定とされているものである。
【００１４】
本態様の流体封入式筒形防振装置では、オリフィス通路におけるインナ軸部材またはアウタ筒部材の長さ方向に延びる部分の断面積を略一定にすることで、周方向に折り返すオリフィス通路を形成するスペース効率の向上が図られ得る。また、防振すべき入力振動がインナ軸部材またはアウタ筒部材の長さ方向とされる場合には、振動入力方向となる当該長さ方向の流体流動がより効率的に惹起されることで、流体の流動マスに基づく防振効果の向上も図られ得る。なお、本態様においてインナ軸部材またはアウタ筒部材の長さ方向に延びるオリフィス通路部分は、好適には当該長さ方向で直線的に且つ相互に平行に延びるように形成される。
【００１５】
本発明の第三の態様は、前記第一又は第二の態様に従う構造とされた流体封入式筒形防振装置であって、前記オリフィス通路において前記長さ方向で折り返す部分の通路における外周側内面が、円弧状の湾曲面とされているものである。
【００１６】
本態様の流体封入式筒形防振装置では、オリフィス通路において直線状に延びる端部で折り返す部分で、流動流体が円弧状の湾曲面で案内されることにより、著しい乱流が抑えられて安定した流体流動が実現されることとなり、目的とする防振効果の安定化や向上が図られ得る。
【００２２】
本発明の第四の態様は、前記第一〜三の何れか一つの態様に従う構造とされた流体封入式筒形防振装置において、前記複数の貫通孔が前記インナ軸部材又は前記アウタ筒部材の中心軸と平行に延びているものである。
【００２３】
本態様の流体封入式筒形防振装置では、各貫通孔がインナ軸部材又はアウタ筒部材の中心軸に対して非傾斜で延びていることから、インナ軸部材又はアウタ筒部材の中心軸と平行な方向の振動入力に対する防振効果をより効果的に得ることができる。また、貫通孔が相互に平行に設けられることから、貫通孔ひいてはオリフィス通路の断面積や長さ（貫通孔の総数）をより優れたスペース効率で設定することも可能になる。
【００２４】
本発明の第五の態様は、前記第一〜四の何れか一つの態様に従う構造とされた流体封入式筒形防振装置において、前記オリフィス部材が前記インナ軸部材の外周面に配されているものである。
【００２５】
本態様の流体封入式筒形防振装置では、インナ軸部材に設けられる比較的小径のオリフィス部材であっても、オリフィス通路が長さ方向で往復して周方向に蛇行状態で延びる構造とされていることによって、オリフィス通路の通路長さを十分に確保することができる。
【００２６】
本発明の第六の態様は、前記第一〜五の何れか一つの態様に従う構造とされた流体封入式筒形防振装置において、前記インナ軸部材の外周面と前記アウタ筒部材の内周面の何れかに配されたオリフィス部材によって前記オリフィス通路が形成されていると共に、該オリフィス通路の形成された該オリフィス部材が前記中間ゴム壁から前記第一の流体室と前記第二の流体室の少なくとも一方の内部に延び出しており、延び出した前記長さ方向端部が前記第一の端部ゴム壁と前記第二の端部ゴム壁の少なくとも一方にまで達しているものである。
【００２７】
本態様の流体封入式筒形防振装置では、オリフィス部材におけるインナ軸部材またはアウタ筒部材の長さ方向寸法を少なくとも当該長さ方向一方の側において流体室を越えて端部ゴム壁に至るまで大きく設定することで、オリフィス通路の長さ特にインナ軸部材またはアウタ筒部材の長さ方向に延びる部分の長さを、中間ゴム壁や流体室における当該長さ方向の寸法で制限されることなく一層大きく設定することが可能になる。
【００２８】
本発明の第七の態様は、前記第一〜六の何れか一つの態様に従う構造とされた流体封入式筒形防振装置において、前記オリフィス通路の少なくとも一方の端部が前記長さ方向に向けて開口しているものである。
【００２９】
本態様の流体封入式筒形防振装置では、長さ方向に入力される振動に対して、オリフィス通路における流体の流出入部分で流体流動がスムーズに生ぜしめられて、流体の流動抵抗が低減されることから、防振性能の向上が図られると共に、キャビテーションに起因する異音の発生などを防止することも可能となり得る。
【発明の効果】
【００３０】
本発明に従う構造とされた流体封入式筒形防振装置では、中間ゴム壁に対してインナ軸部材またはアウタ筒部材の長さ方向両側に配された流体室を連通するオリフィス通路が、長さ方向で往復して周方向に蛇行状態で延びる新たな態様をもって実現される。その結果、インナ軸部材またはアウタ筒部材の長さ方向の振動に対する防振効果が発揮されると共に、オリフィス通路による防振特性のチューニング自由度が確保され易いなどといった技術的効果が達成される。
【図面の簡単な説明】
【００３１】
【図１】本発明の第１の実施形態としての流体封入式筒形防振装置を示す縦断面図であって、図２におけるＩ−Ｉ断面図。
【図２】図１におけるＩＩ−ＩＩ断面図。
【図３】図１に示される流体封入式筒形防振装置を構成する第三の一体加硫成形品を示す平面図。
【図４】図３におけるＩＶ−ＩＶ断面図。
【図５】図３に示される第三の一体加硫成形品のオリフィス部材を構成するオリフィス部材本体を示す斜視図。
【図６】図５に示されるオリフィス部材本体の平面図。
【図７】図５に示されるオリフィス部材本体の底面図。
【図８】図６におけるＶＩＩＩ−ＶＩＩＩ断面図。
【図９】図３に示される第三の一体加硫成形品のオリフィス部材を構成する環状プレートを示す斜視図。
【図１０】図９に示される環状プレートの平面図。
【図１１】本発明の第２の実施形態としての流体封入式筒形防振装置を示す縦断面図。
【図１２】本発明に係る流体封入式筒形防振装置におけるオリフィス通路の別の態様を説明するための説明図。
【発明を実施するための形態】
【００３２】
以下、本発明の実施形態について、図面を参照しつつ説明する。
【００３３】
先ず、図１，２には、本発明に係る流体封入式筒形防振装置の第１の実施形態として自動車用のエンジンマウント１０が示されている。このエンジンマウント１０は、インナ軸部材としての内筒金具１２とアウタ筒部材としての外筒金具１４とがゴム弾性体１６によって弾性的に連結された構造とされており、図示しない自動車のパワーユニットとボデーとの間に装着されて、パワーユニットをボデーに対して防振支持せしめるようになっている。なお、以下の説明において、原則として、軸方向とはエンジンマウント１０の中心軸方向である図１中の上下方向を言う。また、上下方向とは、図１中の上下方向を言う。
【００３４】
より詳細には、内筒金具１２は、全体として厚肉小径の略ストレートな円筒形状を有しており、上下方向に延びている。また、内筒金具１２の上端部には、略円環板形状を有する上フランジ状金具１８が溶接などで固着されている。上フランジ状金具１８は、内筒金具１２と同一中心軸上で軸直角方向に広がって配設されており、中央部分には、内筒金具１２の中心孔２０と略同じ内径の中央孔２２が形成されている。なお、これら内筒金具１２および上フランジ状金具１８は、例えば鉄やアルミニウム合金などの金属により形成される。
【００３５】
また、本実施形態の内筒金具１２の外周面は、全体として段付円筒形状とされている。すなわち、内筒金具１２の軸方向中間部分における外周面には、軸方向で所定の距離を隔てて、下方から上方に向かって逆テーパ状に拡径する第一および第二の段差面２４，２６が設けられており、第一の段差面２４が第二の段差面２６よりも上方に位置している。そして、内筒金具１２にこれらの段差面２４，２６が設けられることにより、内筒金具１２の外径寸法が下方になるにつれて段階的に小さくなるようにされており、内筒金具１２における第一の段差面２４よりも上方が大径筒部２８とされているとともに、第二の段差面２６よりも下方が小径筒部３０とされている一方、第一および第二の段差面２４，２６間が、後述するオリフィス部材６６が嵌着される嵌着筒部３２とされている。
【００３６】
かかる内筒金具１２は、中心孔２０，２２に挿通される図示しない取付ボルトにより、自動車のパワーユニットに取り付けられるようになっている。
【００３７】
一方、外筒金具１４は、内筒金具１２の外径寸法よりも十分に大きな内径寸法と内筒金具１２よりも小さな軸方向寸法を有して上下方向に延びており、内筒金具１２に外挿されて、内筒金具１２と略同一中心軸上に配設されている。そして、かかる配設状態下、内筒金具１２と外筒金具１４は、径方向に所定距離を隔てて対向位置せしめられているとともに、外筒金具１４が内筒金具１２の軸方向中間部分に位置せしめられており、外筒金具１４の軸方向両側から内筒金具１２の軸方向両端部が、それぞれ所定長さで突出せしめられている。かかる外筒金具１４の上端部分には、周方向の全周に亘って小径とされた括れ状部３４が設けられているとともに、当該括れ状部３４の上方には径方向外方にフランジ状に広がる略円環板形状の取付板部３６が一体形成されている。そして、取付板部３６には複数のボルト挿通孔３８が形成されており、当該ボルト挿通孔３８に挿通される取付ボルトにより、外筒金具１４が自動車のボデーに取り付けられるようになっている。一方、外筒金具１４の下端部分には、かしめ加工によって全周に亘って縮径される環状のかしめ部３９が形成されている。
【００３８】
そして、これら互いに内外挿状態で配設された内筒金具１２および外筒金具１４は、それぞれの上端部間が、第一の端部ゴム壁としての第一の本体ゴム弾性体４０によって相互に連結されている。この第一の本体ゴム弾性体４０は、全体として厚肉の略円環ブロック形状を有しており、内周面が内筒金具１２の大径筒部２８の外周面に加硫接着されているとともに、外周面が外筒金具１４において括れ状部３４を含む上端部分の内周面に加硫接着されていることにより、内外筒金具１２，１４を備えた第一の一体加硫成形品４２として形成されている。本実施形態では、第一の一体加硫成形品４２において、内筒金具１２の長さ方向と外筒金具１４の長さ方向が相互に一致していると共に、それら内外筒金具１２，１４の長さ方向がエンジンマウント１０の軸方向と一致しているが、例えば、内筒金具１２と外筒金具１４の何れか一方の長さ方向が、エンジンマウント１０の軸方向に対して傾斜していても良い。
【００３９】
また、第一の本体ゴム弾性体４０は、外筒金具１４の上端部分より上方では、外周面が全体として上方に向かうにつれて次第に内周側に傾斜するテーパ面とされているとともに、第一の本体ゴム弾性体４０の上端面は上フランジ状金具１８の下端面に加硫接着されている。一方、第一の本体ゴム弾性体４０の下端面は、全体として外筒金具１４から内筒金具１２に向かって内周側に行くに従って上方に傾斜するテーパ状内面４４とされている。
【００４０】
さらに、外筒金具１４の内周面上には、第一の本体ゴム弾性体４０の下端面から下方に向かって延び出す筒形のシールゴム層４６が、外筒金具１４の内周面の略全体を覆うようにして、第一の本体ゴム弾性体４０と一体形成されて、外筒金具１４に加硫接着されている。なお、かかるシールゴム層４６は、外筒金具１４の下端よりも下方まで延び出して軸方向の緩衝ゴムが構成されている。
【００４１】
また、内筒金具１２における下端部分（小径筒部３０）と外筒金具１４の下端部分とは第二の端部ゴム壁としての第二の本体ゴム弾性体４８により連結されている。この第二の本体ゴム弾性体４８は全体として円環ブロック状とされており、上端面が全体として内周側に向かって次第に僅かに下傾する逆テーパ面とされているとともに、下端面が全体として内周側に向かって次第に下傾する逆テーパ面とされている。そして、かかる第二の本体ゴム弾性体４８は、外周面が大径の略円筒形状の外側嵌着金具５０の内周面に加硫接着されているとともに、内周面が小径の略円筒形状の内側嵌着金具５２の外周面に加硫接着されていることにより、これら外内嵌着金具５０，５２を備えた第二の一体加硫成形品５４として形成されている。
【００４２】
ここで、外側嵌着金具５０は、全体として上下方向に延びる略ストレートな円筒形状とされている一方、内側嵌着金具５２は、上下方向で外径寸法が異ならされている。すなわち、内側嵌着金具５２の軸方向中間部分には下方に向かってテーパ状に拡開するテーパ状部５６が設けられており、当該テーパ状部５６よりも上方が略ストレートに延びる上方筒部５７とされる一方、テーパ状部５６よりも下方が上方筒部５７よりも大径で略ストレートに延びる拡径筒部５８とされている。なお、拡径筒部５８の内周側には略筒状の封止ゴム層６０が設けられているとともに、テーパ状部５６には、板厚方向に貫通する複数の貫通孔６２が設けられており、第二の本体ゴム弾性体４８が貫通孔６２を通じて拡径筒部５８の内周側まで回り込んで、第二の本体ゴム弾性体４８と封止ゴム層６０とが一体的に形成されている。
【００４３】
また、内側嵌着金具５２における上方筒部５７の内径寸法が内筒金具１２の小径筒部３０の外径寸法と略同じか僅かに大きくされているとともに、外側嵌着金具５０の外径寸法が外筒金具１４における下端部分の内径寸法より僅かに小さくされている。そして、内筒金具１２の小径筒部３０に内側嵌着金具５２が外嵌されるとともに、外筒金具１４の下端部分にシールゴム層４６を介して外側嵌着金具５０が内嵌されることで、第二の一体加硫成形品５４が、内筒金具１２における小径筒部３０と外筒金具１４の下端部分との径方向間に嵌め入れられて、内筒金具１２と外筒金具１４の下端部分が第二の本体ゴム弾性体４８により連結されている。なお、内筒金具１２の小径筒部３０に内側嵌着金具５２が外嵌されて、封止ゴム層６０を挟んで拡径筒部５８が小径筒部３０に対して流体密に嵌着されており、これにより、後述する第二の流体室１１０が流体密に封止されるようになっている。
【００４４】
さらに、内筒金具１２と外筒金具１４の軸方向中間部分は、中間ゴム壁としての仕切ゴム弾性体６４により相互に弾性的に連結されている。この仕切ゴム弾性体６４は、全体として略円環形状のブロック形状とされており、上下両端面が、それぞれ軸方向内方に湾曲して周方向の全周に亘って延びる湾曲環状面を備えている。
【００４５】
かかる仕切ゴム弾性体６４は、内周面が後述するオリフィス通路１０４を備えるオリフィス部材６６の外周面に加硫接着されるとともに、外周面が略筒形状の嵌着筒金具６８の内周面に加硫接着されることにより、図３，４に示されるように、オリフィス部材６６と嵌着筒金具６８を備えた第三の一体加硫成形品７０として形成されている。なお、嵌着筒金具６８は、上下方向に略ストレートに延びる筒形状とされている。
【００４６】
また、オリフィス部材６６は、全体として周方向の全周に亘って連続して延びる円環ブロック形状とされており、図５〜８に示されるオリフィス部材本体７２に対して、図９，１０に示される蓋部材としての環状プレート７４が組み付けられることにより構成されている。なお、これらオリフィス部材本体７２や環状プレート７４は、金属や硬質の合成樹脂などにより好適に形成され得る。
【００４７】
このオリフィス部材本体７２は、全体として円環状のブロック形状とされており、内筒金具１２における嵌着筒部３２と略同じ上下方向寸法を有している。すなわち、オリフィス部材本体７２は、厚肉円筒形状の周壁７６を備えており、周壁７６で囲まれた中央部分を軸方向上下に貫通して内孔７８が形成されている。なお、内孔７８の内周面には上下方向に延びる複数（本実施形態では８つ）の係合突条７９が周方向で略等間隔に形成されている。また、かかるオリフィス部材本体７２の上下両端面には、略円形の収容凹部８０，８０がオリフィス部材本体７２と同心的に設けられており、収容凹部８０，８０の外周側には、収容凹部８０，８０のそれぞれの底面８１，８１より上下それぞれの方向に突出する環状の外周カラー８２，８２が形成されている。なお、外周カラー８２，８２の内周面において、周上の一部からは、径方向内方に突出する位置決め突起８４，８４が一体形成されている。
【００４８】
ここにおいて、周壁７６における外周カラー８２，８２よりも内周側には、上下の底面８１，８１間を軸方向と平行に直線状に貫通する複数の貫通孔８６が形成されており、本実施形態では奇数である１５個の貫通孔８６が相互に平行に形成されている。これらの貫通孔８６は、それぞれ略同一円周上に位置しており、周方向で略等間隔に離隔して位置している。さらに、それぞれの貫通孔８６は略同じ大きさの円形断面を有しており、それぞれ略一定断面で軸方向へ直線的に延びている。
【００４９】
また、上下の収容凹部８０，８０の底面８１，８１には、所定の深さ寸法をもって上下のそれぞれの方向に開口する連通凹部８８が複数形成されている。本実施形態では、上下の収容凹部８０，８０の底面８１，８１において、それぞれ７個の連通凹部８８が形成されており、これらの連通凹部８８が略同一円周上に位置している。これらの連通凹部８８は、それぞれ所定幅で収容凹部８０の周方向に延びる略円弧状溝とされており、周方向における両端部内面９０，９０が貫通孔８６の断面に対応した略半円形の湾曲面とされている。また、連通凹部８８の周方向長さは、周方向で隣り合う二つの貫通孔８６，８６間に跨がって延びるように設定されており、各連通凹部８８の周方向両端部分の底面に二つの貫通孔８６，８６が開口せしめられている。
【００５０】
なお、オリフィス部材本体７２の上側では、１５個の貫通孔８６のうち１個を除いた１４個の貫通孔８６について、周方向で隣り合う二つの貫通孔８６，８６を互いに接続するようにして、合計７つの連通凹部８８が設けられている。これにより、これらの貫通孔８６，８６が上部の連通凹部８８を通じて相互に連通されている。特に、連通凹部８８の周方向両端に貫通孔８６，８６が位置するようにされているとともに、連通凹部８８における端部内面９０，９０の曲率半径と貫通孔８６，８６の半径が略等しくされていることから、連通凹部８８の端部内面９０，９０と貫通孔８６，８６の内面が段差なく連続して滑らかに繋がるようになっている。
【００５１】
また、オリフィス部材本体７２の下側でも、１個を除いた１４個の貫通孔８６について、周方向で隣り合う二つの貫通孔８６，８６を互いに接続するようにして、合計７つの連通凹部８８が設けられている。これら下側の７つの連通凹部８８は、上側の７つの連通凹部８８に対して、周方向で１個の貫通孔８６の分だけ相対的にずれて形成されている。これにより、１５個の貫通孔８６の全てが、上下各７つの連通凹部８８を介して、互いに直列的に接続されて連続せしめられている。また、オリフィス部材本体７２の上側で他の１４個の貫通孔８６から外れて位置せしめられた１個の貫通孔８６ａの上側開口と、オリフィス部材本体７２の下側で他の１４個の貫通孔８６から外れて位置せしめられた１個の貫通孔８６ｂの下側開口とが、かかる直列的に接続された連続構造における各一方の開口端とされている。
【００５２】
さらに、環状プレート７４は、全体として略環状板形状とされており、外径寸法が収容凹部８０の内径寸法と略同じか僅かに小さくされて、オリフィス部材本体７２の上下両端に設けられた収容凹部８０，８０に対して一対の環状プレート７４，７４が嵌め込まれて組み付け可能とされている。また、環状プレート７４の中央には板厚方向に貫通する中央孔９６が形成されており、当該中央孔９６の内径寸法がオリフィス部材本体７２の内孔７８の内径寸法と略等しくされている。更にまた、環状プレート７４の外周縁部には、周上の一部において、位置決め凹部９８が設けられている。この位置決め凹部９８は、環状プレート７４の外周側に開口する切欠きとされており、オリフィス部材本体７２に設けられた位置決め突起８４と略対応する大きさとされている。かかる位置決め凹部９８，９８に対して位置決め突起８４，８４を挿し入れることで、収容凹部８０，８０内で環状プレート７４，７４が周方向で位置決めされるようになっている。
【００５３】
ここで、上側の収容凹部８０に収容される環状プレート７４の周上の一部には、板厚方向で貫通する円形の上連通孔１００が設けられている一方、下側の収容凹部８０に収容される環状プレート７４の周上の一部には、板厚方向で貫通する円形の下連通孔１０２が設けられている。これら上下の連通孔１００，１０２の内径寸法はオリフィス部材本体７２に設けられた貫通孔８６の内径寸法と略同じか僅かに大きくされている。そして、上側の収容凹部８０に環状プレート７４が位置決め状態で組み付けられることにより、上連通孔１００が、オリフィス部材本体７２の上部において上記貫通孔８６ａの開口部上に位置する一方、下側の収容凹部８０に環状プレート７４が位置決め状態で組み付けられることにより、下連通孔１０２が、オリフィス部材本体７２の下部において上記貫通孔８６ｂの開口部上に位置するようになっている。
【００５４】
なお、上側の収容凹部８０に収容される環状プレート７４と下側の収容凹部８０に収容される環状プレート７４とは別の形状のものを採用してもよいが、本実施形態では、同一形状の環状プレート７４を採用しており、例えば、図５に示されるオリフィス部材本体７２の上側の収容凹部８０に対して、図９に示す環状プレート７４を上下反転させた状態で収容して固着するとともに、下側の収容凹部８０に対して図９に示す状態で環状プレート７４を収容して固着することで、本実施形態のオリフィス部材６６が構成されている。
【００５５】
かかるオリフィス部材６６では、オリフィス部材本体７２の上下に設けられた収容凹部８０，８０に環状プレート７４，７４が組み込まれて圧入などで固着されることから、オリフィス部材本体７２に設けられた各連通凹部８８の上方開口部または下方開口部が、オリフィス部材本体７２の軸方向各一方の端面に重ね合わされた環状プレート７４，７４により覆蓋される。これにより、オリフィス部材６６内部には、直列的に連通された各貫通孔８６と各連通凹部８８により、軸方向で往復して周方向に蛇行状態で延びる１本のオリフィス通路１０４が形成される。すなわち、オリフィス部材本体７２の各貫通孔８６によりオリフィス通路１０４において略一定断面積で軸方向に延びる部分が構成されているとともに、環状プレート７４，７４で覆われたオリフィス部材本体７２の各連通凹部８８によりオリフィス通路１０４において軸方向で折り返す部分が構成されている。なお、好適には、オリフィス通路１０４の略全長に亘って断面積が略一定とされる。そして、当該オリフィス通路１０４の一方の端部（上方開口部）が上連通孔１００を通じて外部に連通しているとともに、他方の端部（下方開口部）が下連通孔１０２を通じて外部に連通している。
【００５６】
かかる第三の一体加硫成形品７０が内筒金具１２と外筒金具１４の軸方向中間部分における径方向間に嵌合されることで、内筒金具１２と外筒金具１４の軸方向中間部分は、仕切ゴム弾性体６４により相互に弾性的に連結されている。すなわち、オリフィス部材６６におけるオリフィス部材本体７２の内孔７８の内径寸法は内筒金具１２の嵌着筒部３２における外径寸法と略同じか僅かに大きくされているとともに、嵌着筒金具６８の外径寸法は外筒金具１４の軸方向中間部分における内径寸法より僅かに小さくされている。そして、オリフィス部材６６のオリフィス部材本体７２における内孔７８および環状プレート７４の中央孔９６が内筒金具１２の嵌着筒部３２に外挿されて、オリフィス部材本体７２が内筒金具１２に圧入などで固着されるとともに、外筒金具１４の軸方向中間部分に嵌着筒金具６８がシールゴム層４６を介して内挿されて外筒金具１４の筒状部が八方絞り加工等で縮径されて位置決め状態で固定される。なお、オリフィス部材６６が内筒金具１２の嵌着筒部３２に外嵌される際に、内孔７８に設けられた係合突条７９が嵌着筒部３２の外面との当接で適宜に変形などすることで、オリフィス部材６６と内筒金具１２との寸法誤差の許容と固着力の確保が図られ得る。
【００５７】
上記の如き第一の一体加硫成形品４２に対して第二、第三の一体加硫成形品５４，７０を組み付けることにより本実施形態のエンジンマウント１０が構成されている。すなわち、内外筒金具１２，１４の上端部間が第一の本体ゴム弾性体４０で連結されている一方、下端部間が第二の本体ゴム弾性体４８で連結されているとともに、軸方向中間部分間が仕切ゴム弾性体６４で連結されていることから、内筒金具１２と外筒金具１４とを連結するゴム弾性体１６が、第一の本体ゴム弾性体４０と第二の本体ゴム弾性体４８と仕切ゴム弾性体６４とを含んで構成されている。
【００５８】
ここにおいて、内外筒金具１２，１４の上端部間が第一の本体ゴム弾性体４０で流体密に連結されているとともに、下端部間が第二の本体ゴム弾性体４８で流体密に連結されていることから、第一の本体ゴム弾性体４０と第二の本体ゴム弾性体４８との軸方向間において、内筒金具１２と外筒金具１４の径方向対向面間には、外部空間に対して遮断された密閉状態の流体封入領域１０６が、円環形状をもって形成されている。そして、この流体封入領域１０６には、水やアルキレングリコール、ポリアルキレングリコール、シリコーン油などの適当な非圧縮性流体が充填されて封入されている。なお、非圧縮性流体の充填と封入は、例えば第一の一体加硫成形品４２に対する第二、第三の一体加硫成形品５４，７０の組付けを、上記の如き非圧縮性流体中で行うことなどによって有利になされ得る。
【００５９】
また、第一の一体加硫成形品４２に対して第二、第三の一体加硫成形品５４，７０を組み付ける際には、第一の一体加硫成形品４２の下方から第三、第二の一体加硫成形品７０，５４を順次嵌め入れて、外筒金具１４の筒状部に八方絞り加工などを施し、外筒金具１４の下端にかしめ加工を施してかしめ部３９を縮径形成することにより、第二、第三の一体加硫成形品５４，７０が第一の一体加硫成形品４２により保持され得る。なお、第一の一体加硫成形品４２に対して第三の一体加硫成形品７０を下方から嵌め入れる際には、第三の一体加硫成形品７０の軸方向位置が、オリフィス部材６６の中心孔の上部開口縁部（環状プレート７４の中央孔９６の開口縁部）と内筒金具１２の第一の段差面２４とが当接すること、および第一の本体ゴム弾性体４０の下端と嵌着筒金具６８の上端とが当接することにより規定され得る。また、第一の一体加硫成形品４２に対して第二の一体加硫成形品５４を下方から嵌め入れる際には、第二の一体加硫成形品５４の軸方向位置が、嵌着筒金具６８の下端と外側嵌着金具５０の上端とが当接することにより規定され得る。
【００６０】
さらに、流体封入領域１０６内に第三の一体加硫成形品７０が収容配置されることにより、流体封入領域１０６が第三の一体加硫成形品７０を挟んだ上下両側に仕切られている。これにより、第三の一体加硫成形品７０の上側には、壁部の一部が第一の本体ゴム弾性体４０で構成された第一の流体室１０８が形成されているとともに、第三の一体加硫成形品７０の下側には、壁部の一部が第二の本体ゴム弾性体４８で構成された第二の流体室１１０が形成されており、これら第一および第二の流体室１０８，１１０に非圧縮性流体が封入されている。
【００６１】
そして、オリフィス部材６６内に設けられたオリフィス通路１０４が上側の環状プレート７４の上連通孔１００を通じて第一の流体室１０８に連通しているとともに、下側の環状プレート７４の下連通孔１０２を通じて第二の流体室１１０に連通している。すなわち、第一の流体室１０８と第二の流体室１１０とがオリフィス通路１０４を通じて相互に連通されている。なお、オリフィス通路１０４は、貫通孔８６ａで構成された一方の端部が、第一の流体室１０８に対して軸方向に開口していると共に、貫通孔８６ｂで構成された他方の端部が、第二の流体室１１０に対して軸方向に開口している。
【００６２】
かかるエンジンマウント１０の内外筒金具１２，１４間へ軸方向の振動が入力されて、例えば外筒金具１４に対して内筒金具１２が下方に変位する際には、内筒金具１２とともに、内筒金具１２に固定されている内側嵌着金具５２およびオリフィス部材６６も下方に変位する。これに伴い、第一の本体ゴム弾性体４０、第二の本体ゴム弾性体４８、仕切ゴム弾性体６４も下方に剪断変形せしめられて、ゴム弾性体１６の弾性変形により防振効果が発揮される。また、振動の入力に伴い、第一の流体室１０８と第二の流体室１１０間に相対的な圧力変動が生ぜしめられるが、オリフィス通路１０４を通じた非圧縮性流体の流動により振動が減衰せしめられる。これらの作用により、入力された振動に対して防振効果が発揮され得る。
【００６３】
ここにおいて、本実施形態のエンジンマウント（流体封入式筒形防振装置）１０では、オリフィス通路１０４が、軸方向で往復して周方向に蛇行状態で延びるように設けられていることから、例えば特許文献１に記載の従来構造の液封防振装置のようにオリフィス通路が周方向に延びる場合に比べて、オリフィス通路１０４の長さ寸法を十分に大きく確保することができる。これにより、オリフィス通路１０４の長さを優れたスペース効率で確保可能であることから、内筒金具１２の外周面に外挿状態で配された小径のオリフィス部材６６であっても、オリフィス通路１０４の通路長を十分な長さで形成することができる。また、オリフィス通路１０４による防振特性のチューニングが優れた設定自由度をもってなされ得る。特に、本実施形態のようにオリフィス通路１０４を配することにより、防振効果が発揮される周波数がブロード化して、より幅広い周波数の振動に対して防振効果を得ることも可能になる。このように流体の流動作用に基づく防振効果がより広い周波数域で発揮され得る理由としては、例えば、オリフィス通路１０４が貫通孔８６で形成された軸方向に延びる部分を複数備えているとともに、周方向で隣り合う貫通孔８６，８６において振動入力時の流体流動方向が相互に逆位相で生じることにより、複数の貫通孔８６内の流体マスの移動が入力振動に対して位相差をもって生ぜしめられることなどが考えられる。さらに、オリフィス通路１０４が蛇行状態で周方向に延びていることから、オリフィス通路１０４の流体流動の位相遅れや減衰作用が軸方向端部の折返し部分（連通凹部８８）で大きくなることによっても、防振効果のブロード化が図られ得る。
【００６４】
また、オリフィス通路１０４の長さ方向両端部分が両流体室１０８，１１０に対して軸方向に略直線状に延びていることから、オリフィス通路１０４における流体の流出入部分において、オリフィス通路１０４を通じての両流体室１０８，１１０間の流体流動がスムーズになされる。すなわち、流体がオリフィス通路の内壁などに打ち当たるなどして局所的に流動抵抗が大きくなることなどが回避されて、流動抵抗に起因するキャビテーションなどの不具合の発生も効果的に抑えられ得る。
【００６５】
さらに、かかるオリフィス通路１０４が硬質部材であるオリフィス部材６６の内部に形成されることから、オリフィス通路１０４が安定して確保され得る。特に、オリフィス通路１０４を構成する複数の貫通孔８６は、それぞれ軸方向で略一定の断面形状とされており、且つそれぞれの貫通孔８６が軸方向で直線的に、そして相互に平行に延びていることから、オリフィス部材６６の内部のスペースを巧く利用してオリフィス通路１０４を配することができる。更にまた、本実施形態では、主な振動入力方向がエンジンマウント１０の軸方向であることから、貫通孔８６内の流体流動が効率的に惹起されて、防振効果の向上が図られ得る。加えて、オリフィス通路１０４を構成する貫通孔８６が軸方向に延びているとともに主たる振動入力方向が軸方向であり、貫通孔８６内の流体マスが振動入力方向に移動することから、流体マスの移動による振動エネルギーの相殺的な低減作用も発揮され得る。
【００６６】
次に、図１１には、本発明に係る流体封入式筒形防振装置の第２の実施形態として自動車用のエンジンマウント１１２が示されている。本実施形態では、前記第１の実施形態よりもオリフィス部材１１４の軸方向寸法が大きくされており、当該オリフィス部材１１４の上端部分が第一の本体ゴム弾性体４０にまで達している。なお、以下の説明において、前記第１の実施形態と実質的に同一の部材および部位には、図中に、前記第１の実施形態と同一の符号を付すことにより詳細な説明を省略する。
【００６７】
すなわち、前記第１の実施形態では、オリフィス部材６６の上面と第一の本体ゴム弾性体４０の下面（テーパ状内面４４）とが軸方向で相互に離隔していたが、本実施形態では、第一の本体ゴム弾性体４０のテーパ状内面４４における内周側において、下方に開口する円形凹部１１６が形成されている。そして、オリフィス部材１１４は、前記第１の実施形態のオリフィス部材６６よりも上下方向寸法が大きくされており、仕切ゴム弾性体６４から第一の流体室１０８の内部に延び出して、かかるオリフィス部材１１４の上端部分が第一の本体ゴム弾性体４０の円形凹部１１６内に入り込み、相互に固着または非固着で組み付けられている。なお、本実施形態のオリフィス部材１１４の基本的構造は、前記第１の実施形態のオリフィス部材６６と同様であり、オリフィス部材本体７２の上下両端の収容凹部８０，８０に環状プレート７４，７４が収容されて固着されることで、オリフィス部材１１４内部にオリフィス通路１１８が形成されている。
【００６８】
そして、本実施形態のオリフィス部材本体７２の周壁７６における軸方向中間部分には、例えば径方向に延びる上連通孔１１９が設けられており、複数の貫通孔８６のうちのオリフィス通路１１８の一方の端部となる前記貫通孔８６ａが、かかる上連通孔１１９を通じて外部（第一の流体室１０８）と連通されている。これにより、第一の流体室１０８と第二の流体室１１０がオリフィス通路１１８により相互に連通されている。
【００６９】
かかる形状とされた本実施形態のエンジンマウント１１２では、前記第１の実施形態に比べて、オリフィス部材本体７２に設けられる貫通孔８６の長さ寸法（上下方向寸法）が大きく設定可能とされることから、オリフィス通路１１８の長さをより長くすることができる。これにより、防振特性のチューニングの設定自由度が更に向上され得る。
【００７０】
以上、本発明の実施形態および実施例について説明してきたが、本発明はかかる実施形態における具体的な記載によって限定的に解釈されるものでなく、当業者の知識に基づいて種々なる変更，修正，改良などを加えた態様で実施可能である。
【００７１】
たとえば、本発明に係る流体封入式筒形防振装置の具体的な構造は何等限定されるものではない。前記実施形態では、第一の本体ゴム弾性体４０、第二の本体ゴム弾性体４８、仕切ゴム弾性体６４が、それぞれ外周側と内周側の筒状の金具を備える第一の一体加硫成形品４２、第二の一体加硫成形品５４、第三の一体加硫成形品７０として形成されていたが、かかる態様に限定されない。
【００７２】
具体的には、例えば第一および第二の本体ゴム弾性体と仕切ゴム弾性体を内筒金具の外周面に一体加硫成形せしめて、それら各ゴム弾性体間で周方向に延びる環状凹所を外周面に開口させると共に、各ゴム弾性体の外周面に嵌着筒金具を加硫接着する一方、それら各嵌着筒金具に対して外筒金具を外嵌固定することで各環状凹所を流体密に覆蓋して、第一および第二の流体室を形成することも可能である。
【００７３】
さらに、オリフィス部材は、その具体的な形状や寸法に加えて配設態様も限定されるものではない。たとえば、前記実施形態では、第三の一体加硫成形品７０において内周側にオリフィス部材６６，１１４が設けられる一方、外周側に嵌着筒金具６８が設けられて、オリフィス部材６６，１１４が内筒金具１２に外嵌されるとともに嵌着筒金具６８が外筒金具１４に内嵌されていたが、内周側に嵌着筒金具が設けられるとともに外周側にオリフィス部材が設けられて、内筒金具に嵌着筒金具が外嵌される一方、外筒金具にオリフィス部材が内嵌されるようにしてもよい。あるいは、内外周面において内筒金具と外筒金具に固定される中間ゴム壁に対して、その径方向中間部分にオリフィス部材を固着支持せしめることで、オリフィス部材が、内外筒金具の何れに対しても中間ゴム壁によって弾性的に支持された構造を採用することも可能である。即ち、インナ軸部材とアウタ筒部材との間を周方向に延びるように設けられるオリフィス部材は、インナ軸部材とアウタ筒部材との軸直角方向の対向部間に配されていれば良く、かかるオリフィス部材がインナ軸部材とアウタ筒部材の少なくとも一方に対して、ゴム弾性体としての中間ゴム壁を介して連結されることでインナ軸部材とアウタ筒部材の弾性的な相対変位が許容されることとなる。
【００７４】
また、オリフィス部材は全周に亘って連続した円環形状とされる必要はなく、周方向で１周に満たない周方向長さで延びる非円環形状とされてもよい。また、本発明において、インナ軸部材やアウタ筒部材から独立したオリフィス部材は必須なものではなく、例えばインナ軸部材の外周やアウタ筒部材の内周に突出部分を設けて、当該突出部分にオリフィス通路を形成してもよいし、中間ゴム壁に対して、特別なオリフィス部材を設けることなく直接にオリフィス通路を形成してもよい。なお、インナ軸部材の外周にオリフィス部材を設ける場合にはインナ軸部材と平行な長さ方向で往復して延びるオリフィス通路が好適であり、アウタ筒部材の内周にオリフィス部材を設ける場合にはアウタ筒部材と平行な長さ方向で往復して延びるオリフィス通路が好適であるが、本発明の目的や作用効果から、オリフィス通路のインナ軸部材やアウタ筒部材に対する厳密な平行構造が要求されるものでないことは理解されなければならない。
【００７５】
更にまた、前記第２の実施形態では、オリフィス部材１１４における上側の環状プレート７４は必須なものではない。すなわち、オリフィス部材本体における貫通孔および連通凹部の上部開口が第一の端部ゴム壁で覆蓋されることによりオリフィス通路が形成されるようにしてもよい。また、前記第２の実施形態では、オリフィス部材１１４の上端部分が第一の本体ゴム弾性体４０に入り込んでいたが、それに代えて、または加えて、オリフィス部材の下端部分が第二の端部ゴム壁に入り込んでいてもよい。このように、オリフィス部材の下端部分が第二の端部ゴム壁に入り込む場合には、第二の流体室への下連通孔を、例えば第一の流体室への上連通孔と同様にオリフィス部材の周壁に設けることができるし、また、オリフィス部材における下側の環状プレートは必要なものではない。
【００７６】
さらに、オリフィス部材におけるオリフィス通路は、前記実施形態のように周方向の略全周に亘って設けられてもよいが、周上で部分的に形成してもよい。このように、オリフィス通路を周上で部分的に形成する場合には、例えばオリフィス部材の軸方向長さを周上で部分的に大きくして、当該部分にオリフィス通路を設けることでオリフィス通路の長さを確保することができる。また、周上で部分的にオリフィス通路を形成する場合には、オリフィス部材の周上の複数部分においてそれぞれ並列的に延びるオリフィス通路を互いに独立して形成して、各オリフィス通路によって第一の流体室と第二の流体室をそれぞれ連通させることも可能である。
【００７７】
更にまた、前記実施形態では、オリフィス部材本体７２の周壁７６に上下方向に延びる円形の貫通孔８６が設けられることでオリフィス通路１０４，１１８において上下方向に延びる部分が構成されていたが、かかる態様に限定されるものではない。すなわち、例えばオリフィス部材の内周面や外周面に半円形断面をもって上下方向に延びる軸方向溝を設けて、オリフィス部材をインナ軸部材に外嵌したりアウタ筒部材に内嵌したりすることにより軸方向溝の開口部をインナ軸部材の外周面やアウタ筒部材の内周面で覆蓋してオリフィス通路を形成するようにしてもよい。なお、かかる場合には、インナ軸部材の外周面やアウタ筒部材の内周面にシールゴム層が設けられて、オリフィス通路のシール性が確保されることが好適である。
【００７８】
また、前記実施形態では、軸直角方向に広がって内筒金具１２と外筒金具１４とを連結する仕切ゴム弾性体６４を挟んだ軸方向両側にそれぞれ環状の第一および第二の流体室１０８，１１０が形成されており、インナ軸部材とアウタ筒部材との間の軸方向の入力振動に対して、これらの流体室１０８，１１０間におけるオリフィス通路１０４，１１８を通じての流体流動に基づく防振効果が発揮されるようになっていたが、本発明は、例えば軸方向に広がってインナ軸部材とアウタ筒部材とを連結する仕切ゴム壁により周方向でそれぞれ略半周に亘って広がる流体室が形成されており、インナ軸部材とアウタ筒部材との間の軸直角方向の入力振動に対して、流体室間におけるオリフィス通路を通じての流体流動に基づく防振効果が発揮される筒形防振装置などにも適用可能である。たとえば、特開２０１２−０９２８７５号公報に記載されているように、軸直角方向の防振効果を目的とする流体封入式筒形防振装置に本発明を適用する際には、アウタ筒部材の内周面に沿って配されたオリフィス部材に対して、本発明に従って長さ方向に往復して延びるオリフィス通路を形成することができる。また、インナ軸部材とアウタ筒部材の一方から他方に向かって流体室内に突出するストッパ部を、必要に応じてインナ軸部材の外周面やアウタ筒部材の内周面に沿って周方向に延長形成してオリフィス部材として利用し、かかるストッパ部において長さ方向に往復して延びるオリフィス通路を形成することも可能である。
【００７９】
更にまた、オリフィス部材の具体的な構造も限定されるものではなく、例えば円筒形スリーブの内周面又は外周面に対して、軸方向に延びる複数本の軸方向溝とそれら軸方向溝の両端部を交互に連通する折返し溝からなる蛇行溝を、切削や型成形などで形成して、かかる蛇行溝を円筒形スリーブに内挿または外挿される蓋スリーブやインナ軸部材又はアウタ筒部材で覆蓋することにより、目的とするオリフィス通路を形成することも可能である。
【００８０】
さらに、オリフィス通路における軸方向端部での折り返しの回数、換言すれば軸方向に延びる部分の数（オリフィス部材本体における貫通孔の数）は、オリフィス通路のチューニングによって適宜に設定可能であって何等限定されるものではない。
【００８１】
また、図１２に示されているように、オリフィス通路１２０において軸方向で折り返す部分を構成する折返し流路部１２２の外周側内面１２４を流路方向で滑らかな円弧状の湾曲面とすることも可能である。これにより、流体がオリフィス通路１２０内において軸方向で折り返す際にも、流路方向で略半円状の滑らかな湾曲面からなる外周側内面１２４に案内されて滑らかな流動が実現されて、オリフィス通路１２０内での流体流動において、局所的に流動抵抗が大きくなることなどが回避されて、所望の防振特性がより安定して発揮され得る。なお、図１２では、折返し流路部１２２の内周側内面１２６も、流路方向で滑らかな円弧状の湾曲面とされており、流路断面積の拡縮に伴うエネルギー損失の低減や乱流の抑制などが図られている。因みに、図１２は、前記第一または第二の実施形態で採用され得るオリフィス部材６６，１１４について周壁７６の厚さ方向中間部分を展開状態で示す周方向の断面図である。
【００８２】
なお、本発明の構成は、前記実施形態に示したエンジンマウントだけでなく、ボデーマウントやデフマウント、サスペンションブッシュなどの車両用の流体封入式筒形防振装置や、それ以外の各種の流体封入式筒形防振装置に採用され得る。
【符号の説明】
【００８３】
１０，１１２：エンジンマウント（流体封入式筒形防振装置）、１２：内筒金具（インナ軸部材）、１４：外筒金具（アウタ筒部材）、１６：ゴム弾性体、４０：第一の本体ゴム弾性体（第一の端部ゴム壁）、４８：第二の本体ゴム弾性体（第二の端部ゴム壁）、６４：仕切ゴム弾性体（中間ゴム壁）、６６，１１４：オリフィス部材、７２：オリフィス部材本体、７４：環状プレート（蓋部材）、１０４，１１８，１２０：オリフィス通路、１０８：第一の流体室、１１０：第二の流体室，１２４：外周側内面
【図１】
0006739267.tif 000002
【図２】
0006739267.tif 000003
【図３】
0006739267.tif 000004
【図４】
0006739267.tif 000005
【図５】
0006739267.tif 000006
【図６】
0006739267.tif 000007
【図７】
0006739267.tif 000008
【図８】
0006739267.tif 000009
【図９】
0006739267.tif 000010
【図１０】
0006739267.tif 000011
【図１１】
0006739267.tif 000012
【図１２】
0006739267.tif 000013